(57)【要約】【課題】ＵＳＢ電気コネクタの回転装置の構造を提供する。【解決手段】  絶縁座体、端子群、カバーケース及び回転部で構成するＵＳＢ電気コネクタの回転装置の構造である。電気コネクタの絶縁座体のベースと基部は、端子群の複数の端子の各当接部をそれぞれベースの各端子溝に挿設する。複数の信号端子の各拘持面は各当接面にまで延伸する。複数の伝送端子の各当接側は、基部の端子収納溝を挿設し、且つ複数の端子の溶接部と複数の信号端子の溶接側は、それぞれベースの外にまで延伸する。絶縁座体の外はカバーケースで覆い、カバーケースは収納スペース及び収納スペースの間に組立部を設けることで、回転部のカバー蓋を可動的に組立てることができ、カバー蓋内に絶縁本体及び複数の転送端子を設け、複数の転送端子の拘持側は、複数の信号端子の各当接側と電気抵触することができ、それによって回転部はカバーケースの上で可動的に蓋を開けられる目的に達する。【選択図】図２
2016540365.tif 000002
【特許請求の範囲】
【請求項１】
絶縁座体、端子群、カバーケース及び回転部を含み、
該絶縁座体は複数の端子溝及び複数の当接面を具有するベースを含み、更にベースの片端に連設し、端子収納溝を具有する基部を含み、
該端子群をそれぞれ絶縁座体のベース、複数の当接面と基部に組み立て、ベースの各端子溝内に挿設する複数の端子、各当接面にまで延伸する複数の信号端子及び基部の端子収納溝内に挿設する複数の伝送端子を含み、且つ複数の端子の片端はそれぞれベースの各端子溝内に定位付けする当接部を設け、別端はベースの外側にまで延伸する溶接部を設け、複数の信号端子及び複数の端子は相隣して排列し、且つベースに定位付けし、且つ複数の信号端子の片端に、それぞれ各当接面から露出する拘持面を設け、別端はそれぞれ基部からベースを通してから外部にまで延伸する溶接側を設け、複数の伝送端子は複数の信号端子の拘持面から外側に向けて延伸し、且つ片端にそれぞれ基部の端子収納溝の中に定位付けする当接側を設け、
該カバーケースは絶縁座体の外部を覆い、内部にベースを収納する収納スペース及び、相隣する収納スペースに基部を収納する収納スペースを設け、且つ収納スペース及び収納スペースが相隣する位置に中空状の絶縁座体の当接面を露出させる組立部を設け、及び、
該回転部を可動的にカバーケースの組立部に組み立て、カバーケースの組立部に可動的に組立てるカバー蓋、絶縁体、及び複数の転送端子を含み、且つカバー蓋内部に絶縁本体及び複数の転送端子を収納する当接スペースを設け、また、絶縁本体に複数の転送端子を定位付けするタングプレートを設け、タングプレートと相隣する絶縁本体の片側に更に中空状の中空スペースを設け、複数の転送端子の片端にタングプレートに定位付けする固定側を設け、更にそれぞれ複数の転送端子の固定側から外向けに延伸し、中空スペースから露出する転接面があり、相隣する各転接面の外側に、端子群の複数の信号端子と電気抵触する各拘持面の拘持側を設けることを特徴とするＵＳＢ電気コネクタの回転装置の構造。
【請求項２】
絶縁座体、端子群、カバーケース及び回転部を含み、
該絶縁座体は複数の端子溝及び複数の当接面を具有するベースを含み、更にベースの片端に連設し、幅を狭く且つ端子収納溝を具有する基部を含み、
該端子群をそれぞれ絶縁座体のベース、複数の当接面及び幅がベースより狭い基部に組み立て、ベースの各端子溝内に挿設する複数の端子、各当接面にまで延伸する複数の信号端子及び基部の端子収納溝内に挿設する複数の伝送端子を含み、且つ複数の端子の片端はそれぞれベースの各端子溝内に定位付けする当接部を設け、別端はベースの外部にまで延伸する溶接部を設け、複数の信号端子及び複数の端子は相隣して排列し、且つベースに定位付けし、且つ複数の信号端子の片端に、それぞれ当接面から露出する拘持面を設け、別端はそれぞれベースを通してから外部にまで延伸する溶接側を設け、複数の伝送端子は複数の信号端子の拘持面から外側に向けて延伸し、且つ片端にそれぞれ幅を狭くした基部の端子収納溝の中に定位付けする当接側を設け、
該カバーケースは絶縁座体の外部を覆い、内部にベースを収納する収納スペース及び、相隣する収納スペースに幅を狭くした基部を収納する収納スペースを設け、且つ収納スペース及び収納スペースが相隣する位置に中空状の絶縁座体の当接面を露出させる組立部を設け、及び、
該回転部を可動的にカバーケースの組立部に組み立て、カバーケースの組立部に可動的に組立てるカバー蓋、絶縁体、及び複数の転送端子を含み、且つカバー蓋内部に絶縁本体及び複数の転送端子を収納する当接スペースを設け、また、絶縁本体に複数の転送端子を定位付けするタングプレートを設け、タングプレートと相隣する絶縁本体の片側に更に中空状の中空スペースを設け、複数の転送端子の片端にタングプレートに定位付けする固定側を設け、更にそれぞれ複数の転送端子の固定側から外向けに延伸し、中空スペースから露出する転接面があり、相隣する各転接面の外側に、端子群の複数の信号端子と電気抵触する各拘持面の拘持側を設けることを特徴とするＵＳＢ電気コネクタの回転装置の構造。
【請求項３】
絶縁座体、端子群、カバーケース及び回転部を含み、
該絶縁座体は複数の端子溝及び複数の当接面を具有するベースを含み、更にベースの片端に連設し、厚みを薄く且つ端子収納溝を具有する基部を含み、
該端子群をそれぞれ絶縁座体のベース、複数の当接面及び厚みがベースより薄い基部に組み立て、ベースの各端子溝内に挿設する複数の端子、各当接面にまで延伸する複数の信号端子及び基部の端子収納溝内に挿設する複数の伝送端子を含み、且つ複数の端子の片端はそれぞれベースの各端子溝内に定位付けする当接部を設け、別端はベースの外部にまで延伸する溶接部を設け、複数の信号端子及び複数の端子は相隣して排列し、且つベースに定位付けし、且つ複数の信号端子の片端に、それぞれ当接面から露出する拘持面を設け、別端はそれぞれベースを通してから外部にまで延伸する溶接側を設け、複数の伝送端子は複数の信号端子の拘持面から外側に向けて延伸し、且つ片端にそれぞれ厚みを薄くした基部の端子収納溝の中に定位付けする当接側を設け、
該カバーケースは絶縁座体の外部を覆い、内部にベースを収納する収納スペース及び、相隣する収納スペースに厚みを薄くした基部を収納する収納スペースを設け、且つ収納スペース及び収納スペースが相隣する位置に中空状の絶縁座体の当接面を露出させる組立部を設け、及び、
該回転部を可動的にカバーケースの組立部に組み立て、  カバーケースの組立部に可動的に組立てるカバー蓋、絶縁体、及び複数の転送端子を含み、且つカバー蓋内部に絶縁本体及び複数の転送端子を収納する当接スペースを設け、また、絶縁本体に複数の転送端子を定位付けするタングプレートを設け、タングプレートと相隣する絶縁本体の片側に更に中空状の中空スペースを設け、複数の転送端子の片端にタングプレートに定位付けする固定側を設け、更にそれぞれ複数の転送端子の固定側から外向けに延伸し、中空スペースから露出する転接面があり、相隣する各転接面の外側に、端子群の複数の信号端子と電気抵触する各拘持面の拘持側を設けることを特徴とするＵＳＢ電気コネクタの回転装置の構造。
【請求項４】
絶縁座体、端子群、カバーケース及び回転部を含み、
該絶縁座体は複数の端子溝及び複数の当接面を具有するベースを含み、更にベースの片端の中央に連設し、且つ幅及び厚みをいずれも狭く、薄くした端子収納溝を具有する基部を含み、
該端子群をそれぞれ絶縁座体１のベース、複数の当接面及びベースの片側の中央に位置し、幅及び厚みをいずれも狭く、薄くした基部に組み立て、ベースの各端子溝１内に挿設する複数の端子、各当接面にまで延伸する複数の信号端子及び基部の端子収納溝内に挿設する複数の伝送端子を含み、且つ複数の端子の片端はそれぞれベースの各端子溝内に定位付けする当接部を設け、別端はベースの外部にまで延伸する溶接部を設け、複数の信号端子及び複数の端子は相隣して排列し、且つベースに定位付けし、且つ複数の信号端子の片端に、それぞれ当接面から露出する拘持面を設け、別端はそれぞれベースを通してから外部にまで延伸する溶接側を設け、複数の伝送端子は複数の信号端子の拘持面から外側に向けて延伸し、且つ片端にそれぞれベースの片側の中央に位置し、幅及び厚みをいずれも狭く、薄くした基部の端子収納溝の中に定位付けする当接側を設け、
該カバーケースは絶縁座体の外部を覆い、内部にベースを収納する収納スペース及び、相隣する収納スペースの端サイド中央に、幅及び厚みをいずれも狭く、薄くした基部を収納する収納スペースを設け、且つ収納スペース及び収納スペースが相隣する位置に中空状の絶縁座体の当接面を露出させる組立部を設け、及び、
該回転部を可動的にカバーケースの組立部に組み立て、カバーケースの組立部に可動的に組立てるカバー蓋、絶縁体、及び複数の転送端子を含み、且つカバー蓋内部に絶縁本体及び複数の転送端子を収納する当接スペースを設け、また、絶縁本体に複数の転送端子を定位付けするタングプレートを設け、タングプレートと相隣する絶縁本体の片側に更に中空状の中空スペースを設け、複数の転送端子の片端にタングプレートに定位付けする固定側を設け、更にそれぞれ複数の転送端子の固定側から外向けに延伸し、中空スペースから露出する転接面があり、相隣する各転接面の外側に、端子群の複数の信号端子と電気抵触する各拘持面の拘持側を設けることを特徴とするＵＳＢ電気コネクタの回転装置の構造。
【請求項５】
絶縁座体、端子群、カバーケース及び回転部を含み、
該絶縁座体は複数の端子溝及び複数の当接面を具有するベースを含み、更にベースの片端に連設し、端子収納溝を具有する基部を含み、
該端子群をそれぞれ絶縁座体のベース、複数の当接面及び基部に組み立て、ベースの各端子溝内に挿設する複数の端子、各当接面にまで延伸する複数の信号端子及び基部の端子収納溝内に挿設する複数の伝送端子を含み、且つ複数の端子の片端はそれぞれベースの各端子溝内に定位付けする当接部を設け、別端はベースの外部にまで延伸する溶接部を設け、複数の信号端子及び複数の端子は相隣して排列し、且つベースに定位付けし、且つ複数の信号端子の片端に、それぞれ当接面から露出する拘持面を設け、別端はそれぞれ基部からベースを通してから外部にまで延伸する溶接側を設け、複数の伝送端子は複数の信号端子の拘持面から外側に向けて延伸し、且つ片端にそれぞれ基部の端子収納溝の中に定位付けする当接側を設け、両外側に位置する伝送端子はそれぞれリング状且つ切断し、二つの接触面を形成する当接側を設け、
該カバーケースは絶縁座体の外部を覆い、内部にベースを収納する収納スペース及び、相隣する収納スペースに基部を収納する収納スペースを設け、且つ収納スペース及び収納スペースが相隣する位置に中空状の絶縁座体の当接面を露出させる組立部を設け、及び、
該回転部を可動的にカバーケースの組立部に組み立て、カバーケースの組立部に可動的に組立てるカバー蓋、絶縁体、及び複数の転送端子を含み、且つカバー蓋内部に絶縁本体及び複数の転送端子を収納する当接スペースを設け、また、絶縁本体に複数の転送端子を定位付けするタングプレートを設け、タングプレートと相隣する絶縁本体の片側に更に中空状の中空スペースを設け、複数の転送端子の片端にタングプレートに定位付けする固定側を設け、更にそれぞれ複数の転送端子の固定側から外向けに延伸し、中空スペースから露出する転接面があり、相隣する各転接面の外側に、端子群の複数の信号端子と電気抵触する各拘持面の拘持側を設けることを特徴とするＵＳＢ電気コネクタの回転装置の構造。
【請求項６】
絶縁座体、端子群、カバーケース及び回転部を含み、
該絶縁座体は複数の端子溝及び複数の当接面を具有するベースを含み、更にベースの片端に連設し、端子収納溝を具有する基部を含み、
該端子群をそれぞれ絶縁座体のベース、複数の当接面及び基部に組み立て、ベースの各端子溝内に挿設する複数の端子、各当接面にまで延伸する複数の信号端子及び基部の端子収納溝内に挿設する複数の伝送端子を含み、且つ複数の端子の片端はそれぞれベースの各端子溝内に定位付けする当接部を設け、別端はベースの外部にまで延伸する溶接部を設け、複数の信号端子及び複数の端子は相隣して排列し、且つベースに定位付けし、且つ複数の信号端子の片端に、それぞれ当接面から露出する拘持面を設け、別端はそれぞれ基部からベースを通してから外部にまで延伸する溶接側を設け、複数の伝送端子は複数の信号端子の拘持面から外側に向けて延伸し、且つ片端にそれぞれ基部の端子収納溝の中に定位付けする当接側を設け、
該カバーケースは絶縁座体の外部を覆い、収納スペースを設けることで、ベースの本体を収納し、相隣する本体は更に基部のケース台を収納する収納スペースを設け、且つ本体及びケース台に相隣する位置に、中空状の絶縁座体の当接面を露出させる組立部を設け、及び、該回転部を可動的にカバーケースの本体及びケース台の間にある組立部に組み立て、カバーケースの組立部に可動的に組立てるカバー蓋、絶縁体、及び複数の転送端子を含み、且つカバー蓋内部に絶縁本体及び複数の転送端子を収納する当接スペースを設け、また、絶縁本体に複数の転送端子を定位付けするタングプレートを設け、タングプレートと相隣する絶縁本体の片側に更に中空状の中空スペースを設け、複数の転送端子の片端にタングプレートに定位付けする固定側を設け、更にそれぞれ複数の転送端子の固定側から外向けに延伸し、中空スペースから露出する転接面があり、相隣する各転接面の外側に、端子群の複数の信号端子と電気抵触する各拘持面の拘持側を設けることを特徴とするＵＳＢ電気コネクタの回転装置の構造。
【請求項７】
前記該カバーケースの本体とケース台は一体成形、或いは分解製造してから再組立することを特徴とする請求項６記載のＵＳＢ電気コネクタの回転装置の構造。
【請求項８】
絶縁座体、端子群、カバーケース及び回転部を含み、
該絶縁座体は複数の端子溝及び複数の当接面を具有するベースを含み、更にベースの片端に連設し、端子収納溝を具有する基部を含み、
該端子群をそれぞれ絶縁座体のベース、複数の当接面及び基部に組み立て、ベースに挿設する各端子溝内の五本の端子、各当接面にまで延伸する四本の信号端子及び基部の端子収納溝内に挿設する五本の伝送端子を含み、且つ五本の端子は中央に位置する第一アース端子、第一アース端子の両外側にある第一差動信号端子、第二差動信号端子、第三差動信号端子及び第四差動信号端子を含み、該五本の端子の片端にそれぞれベースの各端子溝内に定位付けする当接部を設け、別端はベースの外部にまで延伸する溶接部を設け、四本の信号端子及び複数の端子は相隣して排列し、且つベースに定位付けし、四本の信号端子は中央の両隣に位置する第五差動信号端子、第六差動信号端子及び、二つの相対する外側に位置する第一電源端子、第二アース端子を含み、四本の信号端子の片端に、それぞれ当接面から露出する拘持面を設け、別端はそれぞれ基部からベースを通してから外部にまで延伸する溶接側を設け、該五本の伝送端子は四本の信号端子の拘持面から外側に向けて延伸し、それぞれ中央に位置する第七差動信号端子、第八差動信号端子及び、二つの相対する外側に位置する第二電源端子、第三アース端子を設け、更に第七差動信号端子に相隣する第三アース端子のサイドに補助伝送端子を連設し、且つ五本の伝送端子の片端にそれぞれ基部の端子収納溝の中に定位付けする当接側を設け、
該カバーケースは絶縁座体の外部を覆い、内部にベース且つ五本の端子、四本の信号端子で形成するＵＳＢ３.０規格に合う収納スペース及び、相隣する収納スペースを設けて基部を収納し、更に五本の伝送端子を合わせてＭｉｃｒｏ  ＵＳＢ規格に合う収納スペースを形成し、且つ収納スペース及び収納スペースが相隣する位置に、中空状の絶縁座体の当接面を露出させる組立部を設け、及び、
該回転部を可動的にカバーケースの組立部に組み立て、カバーケースの組立部に可動的に組立てるカバー蓋、絶縁体、及び複数の転送端子を含み、且つカバー蓋内部に絶縁本体及び四本の転送端子を収納する当接スペースを設け、また、絶縁本体に四本の転送端子を定位付けするタングプレートを設け、タングプレートと相隣する絶縁本体の片側に更に中空状の中空スペースを設け、複数の転送端子の片端にタングプレートに定位付けする固定側を設け、更にそれぞれ複数の転送端子の固定側から外向けに延伸し、中空スペースから露出する転接面があり、相隣する各転接面の外側に、端子群の複数の信号端子と電気抵触する各拘持面の拘持側を設け、四本の転送端子は中央に位置する第九差動信号端子、第十差動信号端子及び、第九、第十差動信号端子の両外側に位置する第三電源端子と第四アース端子を含むことを特徴とするＵＳＢ電気コネクタの回転装置の構造。
【請求項９】
前記該端子群における五本の伝送端子の中の第七差動信号端子、第八差動信号端子、第二電源端子及び第三アース端子は、各当接側からそれぞれ別端に向けて、上向きに垂直に彎曲する第一彎曲部と延伸アーム、更に各延伸アームからそれぞれ水準方向に向けて彎曲し、四本の信号端子における各拘持面の第二彎曲部を連設することを特徴とする請求項８記載のＵＳＢ電気コネクタの回転装置の構造。
【請求項１０】
前記該端子群における五本の伝送端子の中で、それぞれ両外側に位置する第二電源端子、第三アース端子はそれぞれリング状を呈し、且つ切断して二つの接触面の当接側を形成することを特徴とする請求項８記載のＵＳＢ電気コネクタの回転装置の構造。
【請求項１１】
前記該端子群における五本の端子の中の第一アース端子、第一差動信号端子、第二差動信号端子、第三差動信号端子及び第四差動信号端子の片側にそれぞれ反対方向に彎曲して延伸する当接部を設けることを特徴とする請求項８記載のＵＳＢ電気コネクタの回転装置の構造。
【請求項１２】
前記該端子群における五本の伝送端子の中の第三アース端子が、第七差動信号端子と相隣するサイドに、ユニバーサル・シリアル・バスインターフェイス形式の補助伝送端子を連設して形成することを特徴とする請求項８記載のＵＳＢ電気コネクタの回転装置の構造。
【請求項１３】
絶縁座体、端子群、カバーケース及び回転部を含み、
該絶縁座体は複数の端子溝及び複数の当接面を具有するベースを含み、更にベースの片端に連設し、端子収納溝を具有する基部を含み、
該端子群をそれぞれ絶縁座体のベース、複数の当接面及び基部に組み立て、ベースの各端子溝内に挿設する複数の端子、各当接面にまで延伸する複数の信号端子及び基部の端子収納溝内に挿設する複数の伝送端子を含み、且つ複数の端子の片端はそれぞれベースの各端子溝内に定位付けする当接部を設け、別端はベースの外部にまで延伸する溶接部を設け、複数の信号端子及び複数の端子は相隣して排列し、且つベースに定位付けし、且つ複数の信号端子の片端に、それぞれ当接面から露出する拘持面を設け、別端はそれぞれ基部からベースを通してから外部にまで延伸する溶接側を設け、複数の伝送端子は複数の信号端子の拘持面から外側に向けて延伸し、且つ片端にそれぞれ基部の端子収納溝の中に定位付けする当接側を設け、複数の伝送端子はユニバーサル・シリアル・バス規格に合うために、第三アース端子の片側に、ユニバーサル・シリアル・バスインターフェイス形式の補助伝送端子を連設して形成し、
該カバーケースは絶縁座体の外部を覆い、内部にベースを収納する収納スペース及び、相隣する収納スペースは、基部を収納する収納スペースを設け、且つ収納スペース及び収納スペースが相隣する位置に中空状の絶縁座体１の当接面を露出させる組立部を設け、及び、
該回転部を可動的にカバーケースの組立部に組み立て、カバーケースの組立部に可動的に組立てるカバー蓋、絶縁体、及び複数の転送端子を含み、且つカバー蓋内部に絶縁本体及び複数の転送端子を収納する当接スペースを設け、また、絶縁本体に複数の転送端子を定位付けするタングプレートを設け、タングプレートと相隣する絶縁本体の片側に更に中空状の中空スペースを設け、複数の転送端子の片端にタングプレートに定位付けする固定側を設け、更にそれぞれ複数の転送端子の固定側から外向けに延伸し、中空スペースから露出する転接面があり、相隣する各転接面の外側に、端子群の複数の信号端子と電気抵触する各拘持面の拘持側を設けることを特徴とするＵＳＢ電気コネクタの回転装置の構造。
【請求項１４】
絶縁座体、端子群、カバーケース及び回転部を含み、
該絶縁座体は複数の端子溝及び複数の当接面を具有するベースを含み、更にベースの片端に連設し、端子収納溝を具有する基部を含み、
該端子群をそれぞれ絶縁座体のベース、複数の当接面及び基部に組み立て、ベースの各端子溝内に挿設する複数の端子、各当接面にまで延伸する複数の信号端子及び基部の端子収納溝内に挿設する複数の伝送端子を含み、且つ複数の端子の片端はそれぞれベースの各端子溝内に定位付けする当接部を設け、別端はベースの外部にまで延伸する溶接部を設け、複数の信号端子は相隣して複数の端子の間に挿入してそれぞれベースに定位付けし、且つ複数の信号端子の片端に、それぞれ当接面から露出する拘持面を設け、別端はそれぞれ基部からベースを通してから外部にまで延伸する溶接側を設け、平面で相隣して排列する溶接側を呈し、複数の伝送端子は複数の信号端子の拘持面から外側に向けて延伸し、且つ片端にそれぞれ基部の端子収納溝の中に定位付けする当接側を設け、
該カバーケースは絶縁座体の外部を覆い、内部にベースを収納する収納スペース及び、相隣する収納スペースは、基部を収納する収納スペースを設け、且つ収納スペース及び収納スペースが相隣する位置に中空状の絶縁座体の当接面を露出させる組立部を設け、及び、
該回転部を可動的にカバーケースの組立部に組み立て、カバーケースの組立部に可動的に組立てるカバー蓋、絶縁体、及び複数の転送端子を含み、且つカバー蓋内部に絶縁本体及び複数の転送端子を収納する当接スペースを設け、また、絶縁本体に複数の転送端子を定位付けするタングプレートを設け、タングプレートと相隣する絶縁本体の片側に更に中空状の中空スペースを設け、複数の転送端子の片端にタングプレートに定位付けする固定側を設け、更にそれぞれ複数の転送端子の固定側から外向けに延伸し、中空スペースから露出する転接面があり、相隣する各転接面の外側に、端子群の複数の信号端子と電気抵触する各拘持面の拘持側を設けることを特徴とするＵＳＢ電気コネクタの回転装置の構造。
【請求項１５】
絶縁座体、端子群、カバーケース及び回転部を含み、
該絶縁座体に含まれるのは複数の当接面を具有するベース及び、ベースの片端に連設し、端子収納溝を具有する基部であり、
該端子群をそれぞれ絶縁座体のベース、複数の当接面及び基部に組み立て、各当接面にまで延伸する複数の信号端子及び基部の端子収納溝内に挿設する複数の伝送端子を含み、複数の信号端子の片端は、それぞれ当接面から露出する拘持面を設け、別端はそれぞれ基部からベースを通してから外部にまで延伸する溶接側を設け、複数の伝送端子は複数の信号端子の拘持面から外側に向けて延伸し、且つ片端にそれぞれ基部の端子収納溝の中に定位付けする当接側を設け、
該カバーケースは絶縁座体の外部を覆い、内部にベースを収納する収納スペース及び、相隣する収納スペースに基部を収納する収納スペースを設け、且つ収納スペース及び収納スペースが相隣する位置に中空状の絶縁座体の当接面を露出させる組立部を設け、及び、
該回転部を可動的にカバーケースの組立部に組み立て、カバーケースの組立部に可動的に組立てるカバー蓋、絶縁体、及び複数の転送端子を含み、且つカバー蓋内部に絶縁本体及び複数の転送端子を収納する当接スペースを設け、また、絶縁本体に複数の転送端子を定位付けするタングプレートを設け、タングプレートと相隣する絶縁本体の片側に更に中空状の中空スペースを設け、複数の転送端子片端にタングプレートに定位付けする固定側を設け、更にそれぞれ複数の転送端子の固定側から外向けに延伸し、中空スペースから露出する転接面があり、相隣する各転接面の外側に、端子群の複数の信号端子と電気抵触する各拘持面の拘持側を設けることを特徴とするＵＳＢ電気コネクタの回転装置の構造。
【請求項１６】
絶縁座体、端子群、カバーケース及び回転部を含み、
該絶縁座体は複数の当接面のベース及び、ベースの片側に連設し、端子収納溝を具有する基部を含み、
該端子群をそれぞれ絶縁座体のベース、複数の当接面及び基部に組み立て、 各当接面にまで延伸する四本の信号端子及び基部の端子収納溝内に挿設する五本の伝送端子を含み、四本の信号端子の片端に、それぞれ当接面から露出する拘持面を設け、別端はそれぞれ基部からベースを通してから外部にまで延伸する溶接側を設け、且つ四本の信号端子に含まれるのは中央で相隣して排列する第七差動信号端子、第八差動信号端子及び、第七、第八信号端子の両外側に位置する第一電源端子、第二アース端子であり、五本の伝送端子は四本の信号端子の拘持面から外側に向けて延伸し、五本の伝送端子はそれぞれ中央に位置する第七差動信号端子、第八差動信号端子及び、第七、第八差動信号端子の両外側に位置する第二電源端子、第三アース端子を設け、更に第三アース端子と相隣する第七差動端子のサイドに補助伝送端子を連設し、且つ五本の伝送端子の片端に、それぞれ基部の端子収納溝内に設ける当接側を設け、
該カバーケースは絶縁座体の外部を覆い、内部にベースを収納し、且つ四本の信号端子と合わせてＵＳＢ２.０規格に合う収納スペースを形成し、及び、相隣する収納スペースは基部を収納し、更に五本の伝送端子と合わせてＭｉｃｒｏ  ＵＳＢ規格に合う収納スペースを形成し、且つ収納スペース及び収納スペースが相隣する位置に中空状の絶縁座体の当接面を露出させる組立部を設け、及び、
該回転部を可動的にカバーケースの組立部に組み立て、カバーケースの組立部に可動的に組立てるカバー蓋、絶縁体、及び複数の転送端子を含み、且つカバー蓋内部に絶縁本体及び複数の転送端子を収納する当接スペースを設け、また、絶縁本体に複数の転送端子を定位付けするタングプレートを設け、タングプレートと相隣する絶縁本体の片側に更に中空状の中空スペースを設け、複数の転送端子の片端にタングプレートに定位付けする固定側を設け、更にそれぞれ複数の転送端子の固定側から外向けに延伸し、中空スペースから露出する転接面があり、相隣する各転接面の外側に、端子群の複数の信号端子と電気抵触する各拘持面の拘持側を設けることを特徴とするＵＳＢ電気コネクタの回転装置の構造。
【請求項１７】
前記該端子群における五本の伝送端子の中の、両外側に位置する第二電源端子、第三アース端子はそれぞれリング状を呈し、且つ切断して二つの接触面の当接側を形成することを特徴とする請求項１６記載のＵＳＢ電気コネクタの回転装置の構造。
【請求項１８】
前記該端子群における五本の伝送端子の中の第三アース端子が、第七差動信号端子と相隣するサイドに、ユニバーサル・シリアル・バスインターフェイス形式の補助伝送端子を連設して形成することを特徴とする請求項１６記載のＵＳＢ電気コネクタの回転装置の構造。
【発明の詳細な説明】
【技術分野】
【０００１】
本発明は一種のＵＳＢ電気コネクタの回転装置に関し、特に電気コネクタとは可動的に蓋を開けることができる回転部を具有する回転装置であり、回転部の複数の転送端子を利用して、端子群にある複数の信号端子と電気抵触することで、ＵＳＢ２.０規格の電気コネクタの応用に合い、暴走する現象になることのないＵＳＢ電気コネクタの回転装置の構造に関する。
【背景技術】
【０００２】
電子テクノロジーの進歩に従い、多くの電子、電気製品は人々の仕事面や生活面において、快適と便利さをもたらすため、人々はますます電子、電気製品を頼るようになった。様々な電子信号の応用、操作を通じて、電子、電気製品の作動、執行を制御する。また、様々な電子、電気製品が絶えず改良し、実用新案を発明しているため、様々な電子、電気製品の使用機能も絶えず更新、交換していかなければならない。
電子信号の応用を介して電子、電気製品の作動、執行能力を制御し、且つ電子信号を伝送するスピードも絶えずアップグレードするには、さまざまな伝送インターフェイス、電気コネクタなどを通じて、電子製品間の電子信号伝送の速さを速める必要がある。そして電子信号伝送のインターフェイスもまた絶えず改良して革新することで、信号を伝送するインターフェイスと電気コネクタの形態及び品質、伝送する電子信号の速さをアップする。
しかし、様々な電子信号を伝送するインターフェイスのタイプ、種類はかなり多く、各種の信号伝送インターフェイス、電気コネクタのサイズ規格もそれぞれ異なり、伝送する電子信号のモードも異なる。従って電子製品が様々な電子信号を伝送するニーズに合わせて、電子製品に多くのタイプの伝送インターフェイス、電気コネクタを設置しなければならない。よって、異なるタイプの様々な伝送インターフェイス、電気コネクタを設置できるよう、各種の電子製品には十分なスペースが必要となる。
【０００３】
しかし、様々な電子製品の体積はいずれも軽く、薄く、短く、小さくのモードデザインになりつつあり、電子製品の限られた体積の中で、電子信号を便利に伝送するために各タイプの伝送インターフェイスに合わせて設置すると、電子製品内部の回路レイアウトのスペースを占用することになり、それによって電子製品の回路レイアウト及び本体のスペースが足りなくなる。よって、電子製品の限られたスペースに多くの電気コネクタを設置することができず、使用する際にも多くの制限を受けることになり、不便を招く。
【０００４】
図１１に示す該発明特許のＵＳＢ電気コネクタＡの絶縁座体Ｂ及び片側の基部Ｂ１の外部は、それぞれカバーケースＣ及びケース台Ｃ１を覆う。且つケース台Ｃ１は完全に基部Ｂ１の周辺を覆い、ＵＳＢ電気コネクタＡと相対する型のソケット電気コネクタＤとドッキングする時、ソケット電気コネクタＤ内部の電源伝送端子は、まずケース台Ｃ１の表面と抵触してから、更に絶縁座体Ｂの電源端子Ｂ２と電気接触する。
電源伝送端子がまずケース台Ｃ１表面と抵触するときだけ、電源伝送端子の瞬間高電流(或いは高電圧)の暴走現象が起こり、それにより電気コネクタ同士の電子信号と電源伝送を影響し、不安定な状況を招く。更に電気コネクタ間でショートする状態になりやすいなどを鑑みて、更なる改善が必要である。
【先行技術文献】
【特許文献】
【０００５】
【特許文献１】特開２０１１−９６６２２号公報
【発明の概要】
【発明が解決しようとする課題】
【０００６】
前記公知構造の欠点を解決するため、本発明はＵＳＢ電気コネクタの回転装置の構造を提供することを主な課題とする。
【課題を解決するための手段】
【０００７】
上述の目的を解決するために、本発明はＵＳＢ電気コネクタの回転装置の構造を提供するものである。本発明に含まれるのは絶縁座体、端子群、カバーケース及び回転部である。
【０００８】
該絶縁座体は複数の端子溝及び複数の当接面を具有するベースを含み、更にベースの片端に連設し、端子収納溝を具有する基部を含む。
【０００９】
該端子群をそれぞれ絶縁座体のベース、複数の当接面と基部に組み立てる。ベースの各端子溝内に挿設する複数の端子、各当接面にまで延伸する複数の信号端子及び基部の端子収納溝内に挿設する複数の伝送端子を含む。
且つ複数の端子の片端はそれぞれベースの各端子溝内に定位付けする当接部を設け、別端はベースの外側にまで延伸する溶接部を設ける。複数の信号端子及び複数の端子は相隣して排列し、且つベースに定位付けし、且つ複数の信号端子の片端に、それぞれ各当接面から露出する拘持面を設け、別端はそれぞれ基部からベースを通してから外部にまで延伸する溶接側を設ける。複数の伝送端子は複数の信号端子の拘持面から外側に向けて延伸し、且つ片端にそれぞれ基部の端子収納溝の中に定位付けする当接側を設ける。
【００１０】
該カバーケースは絶縁座体の外部を覆い、内部にベースを収納する収納スペース及び、相隣する収納スペースに基部を収納する収納スペースを設ける。且つ収納スペース及び収納スペースが相隣する位置に中空状の絶縁座体の当接面を露出させる組立部を設ける。
【００１１】
該回転部を可動的にカバーケースの組立部に組み立て、カバーケースの組立部に可動的に組立てるカバー蓋、絶縁体、及び複数の転送端子を含み、且つカバー蓋内部に絶縁本体及び複数の転送端子を収納する当接スペースを設ける。また、絶縁本体に複数の転送端子を定位付けするタングプレートを設ける。タングプレートと相隣する絶縁本体の片側に更に中空状の中空スペースを設け、複数の転送端子の片端にタングプレートに定位付けする固定側を設ける。更にそれぞれ複数の転送端子の固定側から外向けに延伸し、中空スペースから露出する転接面があり、相隣する各転接面の外側に、端子群の複数の信号端子と電気抵触する各拘持面の拘持側を設ける。
【００１２】
本発明は電気コネクタの回転装置の構造を提供するものである。本発明に含まれるのは絶縁座体、端子群、カバーケース及び回転部である。
【００１３】
該絶縁座体は複数の端子溝及び複数の当接面を具有するベースを含み、更にベースの片端に連設し、幅を狭く且つ端子収納溝を具有する基部を含む。
【００１４】
該端子群をそれぞれ絶縁座体のベース、複数の当接面及び幅がベースより狭い基部に組み立てる。ベースの各端子溝内に挿設する複数の端子、各当接面にまで延伸する複数の信号端子及び基部の端子収納溝内に挿設する複数の伝送端子を含む。且つ複数の端子の片端はそれぞれベースの各端子溝内に定位付けする当接部を設け、別端はベースの外部にまで延伸する溶接部を設ける。
複数の信号端子及び複数の端子は相隣して排列し、且つベースに定位付けし、且つ複数の信号端子の片端に、それぞれ当接面から露出する拘持面を設ける。別端はそれぞれベースを通してから外部にまで延伸する溶接側を設ける。複数の伝送端子は複数の信号端子の拘持面から外側に向けて延伸し、且つ片端にそれぞれ幅を狭くした基部の端子収納溝の中に定位付けする当接側を設ける。
【００１５】
該カバーケースは絶縁座体の外部を覆い、内部にベースを収納する収納スペース及び、相隣する収納スペースに幅を狭くした基部を収納する収納スペースを設ける。且つ収納スペース及び収納スペースが相隣する位置に中空状の絶縁座体の当接面を露出させる組立部を設ける。
【００１６】
及び、該回転部を可動的にカバーケースの組立部に組み立てる。それに含まれるのは、カバーケースの組立部に可動的に組立てるカバー蓋、絶縁体、及び複数の転送端子である。且つカバー蓋内部に絶縁本体及び複数の転送端子を収納する当接スペースを設ける。また、絶縁本体に複数の転送端子を定位付けするタングプレートを設ける。
タングプレートと相隣する絶縁本体の片側に更に中空状の中空スペースを設け、複数の転送端子の片端にタングプレートに定位付けする固定側を設ける。更にそれぞれ複数の転送端子の固定側から外向けに延伸し、中空スペースから露出する転接面があり、相隣する各転接面の外側に、端子群の複数の信号端子と電気抵触する各拘持面の拘持側を設ける。
【００１７】
本発明は電気コネクタの回転装置の構造を提供するものである。本発明に含まれるのは絶縁座体、端子群、カバーケース及び回転部である。
【００１８】
該絶縁座体は複数の端子溝及び複数の当接面を具有するベースを含み、更にベースの片端に連設し、厚みを薄く且つ端子収納溝を具有する基部を含む。
【００１９】
該端子群をそれぞれ絶縁座体のベース、複数の当接面及び厚みがベースより薄い基部に組み立てる。ベースの各端子溝内に挿設する複数の端子、各当接面にまで延伸する複数の信号端子及び基部の端子収納溝内に挿設する複数の伝送端子を含む。且つ複数の端子の片端はそれぞれベースの各端子溝内に定位付けする当接部を設け、別端はベースの外部にまで延伸する溶接部を設ける。
複数の信号端子及び複数の端子は相隣して排列し、且つベースに定位付けし、且つ複数の信号端子の片端に、それぞれ当接面から露出する拘持面を設ける。別端はそれぞれベースを通してから外部にまで延伸する溶接側を設ける。複数の伝送端子は複数の信号端子の拘持面から外側に向けて延伸し、且つ片端にそれぞれ厚みを薄くした基部の端子収納溝の中に定位付けする当接側を設ける。
【００２０】
該カバーケースは絶縁座体１の外部を覆い、内部にベースを収納する収納スペース及び、相隣する収納スペースに厚みを薄くした基部を収納する収納スペースを設ける。且つ収納スペース及び収納スペースが相隣する位置に中空状の絶縁座体の当接面を露出させる組立部を設ける。
【００２１】
及び、該回転部を可動的にカバーケースの組立部に組み立てる。それに含まれるのは、カバーケースの組立部に可動的に組立てるカバー蓋、絶縁体、及び複数の転送端子である。且つカバー蓋内部に絶縁本体及び複数の転送端子を収納する当接スペースを設ける。また、絶縁本体に複数の転送端子を定位付けするタングプレートを設ける。
タングプレートと相隣する絶縁本体の片側に更に中空状の中空スペースを設け、複数の転送端子の片端にタングプレートに定位付けする固定側を設ける。更にそれぞれ複数の転送端子の固定側から外向けに延伸し、中空スペースから露出する転接面があり、相隣する各転接面の外側に、端子群の複数の信号端子と電気抵触する各拘持面の拘持側を設ける。
【００２２】
本発明は電気コネクタの回転装置の構造を提供するものである。本発明に含まれるのは絶縁座体、端子群、カバーケース及び回転部である。
【００２３】
該絶縁座体は複数の端子溝及び複数の当接面を具有するベースを含み、更にベースの片端の中央に連設し、且つ幅及び厚みをいずれも狭く、薄くした端子収納溝を具有する基部を含む。
【００２４】
該端子群をそれぞれ絶縁座体のベース、複数の当接面及びベースの片側の中央に位置し、幅及び厚みをいずれも狭く、薄くした基部に組み立てる。ベースの各端子溝内に挿設する複数の端子、各当接面にまで延伸する複数の信号端子及び基部の端子収納溝内に挿設する複数の伝送端子を含む。
且つ複数の端子の片端はそれぞれベースの各端子溝内に定位付けする当接部を設け、別端はベースの外部にまで延伸する溶接部を設ける。複数の信号端子及び複数の端子は相隣して排列し、且つベースに定位付けし、且つ複数の信号端子の片端に、それぞれ当接面から露出する拘持面１を設ける。別端はそれぞれベースを通してから外部にまで延伸する溶接側を設ける。
複数の伝送端子は複数の信号端子の拘持面から外側に向けて延伸し、且つ片端にそれぞれベースの片側の中央に位置し、幅及び厚みをいずれも狭く、薄くした基部の端子収納溝の中に定位付けする当接側を設ける。
【００２５】
該カバーケースは絶縁座体１の外部を覆い、内部にベースを収納する収納スペース及び、相隣する収納スペースのサイド中央に、幅及び厚みをいずれも狭く、薄くした基部を収納する収納スペースを設ける。且つ収納スペース及び収納スペースが相隣する位置に中空状の絶縁座体の当接面を露出させる組立部を設ける。及び、
【００２６】
該回転部を可動的にカバーケースの組立部に組み立てる。それに含まれるのは、カバーケースの組立部に可動的に組立てるカバー蓋、絶縁体、及び複数の転送端子である。且つカバー蓋内部に絶縁本体及び複数の転送端子を収納する当接スペースを設ける。また、絶縁本体に複数の転送端子を定位付けするタングプレートを設ける。
タングプレートと相隣する絶縁本体の片側に更に中空状の中空スペースを設け、複数の転送端子の片端にタングプレートに定位付けする固定側を設ける。更にそれぞれ複数の転送端子の固定側から外向けに延伸し、中空スペースから露出する転接面があり、相隣する各転接面の外側に、端子群の複数の信号端子と電気抵触する各拘持面の拘持側を設ける。
【００２７】
本発明は電気コネクタの回転装置の構造を提供するものである。本発明に含まれるのは絶縁座体、端子群、カバーケース及び回転部である。
【００２８】
該絶縁座体は複数の端子溝及び複数の当接面を具有するベースを含み、更にベースの片端に連設し、端子収納溝を具有する基部を含む。
【００２９】
該端子群をそれぞれ絶縁座体のベース、複数の当接面及び基部に組み立てる。ベースの各端子溝内に挿設する複数の端子、各当接面にまで延伸する複数の信号端子及び基部の端子収納溝内に挿設する複数の伝送端子を含む。且つ複数の端子の片端はそれぞれベースの各端子溝内に定位付けする当接部を設け、別端はベースの外部にまで延伸する溶接部を設ける。
複数の信号端子及び複数の端子は相隣して排列し、且つベースに定位付けし、且つ複数の信号端子の片端に、それぞれ当接面から露出する拘持面を設ける。別端はそれぞれ基部からベースを通してから外部にまで延伸する溶接側を設ける。
複数の伝送端子は複数の信号端子の拘持面から外側に向けて延伸し、且つ片端にそれぞれ基部の端子収納溝の中に定位付けする当接側を設ける。両外側に位置する伝送端子はそれぞれリング状且つ切断し、二つの接触面を形成する当接側を設ける。
【００３０】
該カバーケースは絶縁座体の外部を覆い、内部にベースを収納する収納スペース及び、相隣する収納スペースに基部を収納する収納スペースを設ける。且つ収納スペース及び収納スペースが相隣する位置に中空状の絶縁座体の当接面を露出させる組立部を設ける。
【００３１】
及び、該回転部を可動的にカバーケースの組立部に組み立てる。それに含まれるのは、カバーケースの組立部に可動的に組立てるカバー蓋、絶縁体、及び複数の転送端子である。且つカバー蓋内部に絶縁本体及び複数の転送端子を収納する当接スペースを設ける。また、絶縁本体に複数の転送端子を定位付けするタングプレートを設ける。
タングプレートと相隣する絶縁本体の片側に更に中空状の中空スペースを設け、複数の転送端子の片端にタングプレートに定位付けする固定側を設ける。更にそれぞれ複数の転送端子の固定側から外向けに延伸し、中空スペースから露出する転接面があり、相隣する各転接面の外側に、端子群の複数の信号端子と電気抵触する各拘持面の拘持側を設ける。
【００３２】
本発明は電気コネクタの回転装置の構造を提供するものである。本発明に含まれるのは絶縁座体、端子群、カバーケース及び回転部である。
【００３３】
該絶縁座体は複数の端子溝及び複数の当接面を具有するベースを含み、更にベースの片端に連設し、端子収納溝を具有する基部を含む。
【００３４】
該端子群をそれぞれ絶縁座体のベース、複数の当接面及び基部に組み立てる。ベースの各端子溝内に挿設する複数の端子、各当接面にまで延伸する複数の信号端子及び基部の端子収納溝内に挿設する複数の伝送端子を含む。且つ複数の端子の片端はそれぞれベースの各端子溝内に定位付けする当接部を設け、別端はベースの外部にまで延伸する溶接部を設ける。
複数の信号端子及び複数の端子は相隣して排列し、且つベースに定位付けし、且つ複数の信号端子の片端に、それぞれ当接面から露出する拘持面を設け、別端はそれぞれ基部からベースを通してから外部にまで延伸する溶接側を設ける。複数の伝送端子は複数の信号端子の拘持面から外側に向けて延伸し、且つ片端にそれぞれ基部の端子収納溝の中に定位付けする当接側を設ける。
【００３５】
該カバーケースは絶縁座体の外部を覆い、収納スペースを設けることで、ベースの本体を収納し、相隣する本体は更に基部のケース台を収納する収納スペースを設ける。且つ本体及びケース台に相隣する位置に、中空状の絶縁座体の当接面を露出させる組立部を設ける。
【００３６】
及び、該回転部を可動的にカバーケースの本体及びケース台の間にある組立部に組み立てる。カバーケースの組立部に可動的に組立てるカバー蓋、絶縁体、及び複数の転送端子を含む。且つカバー蓋内部に絶縁本体及び複数の転送端子を収納する当接スペースを設ける。
また、絶縁本体に複数の転送端子を定位付けするタングプレートを設ける。タングプレートと相隣する絶縁本体の片側に更に中空状の中空スペースを設ける。複数の転送端子の片端にタングプレートに定位付けする固定側を設ける。更にそれぞれ複数の転送端子の固定側から外向けに延伸し、中空スペースから露出する転接面があり、相隣する各転接面の外側に、端子群の複数の信号端子と電気抵触する各拘持面の拘持側を設ける。
【００３７】
その中：該カバーケースの本体とケース台は一体成形、或いは分解製造してから再組立する。
【００３８】
本発明は電気コネクタの回転装置の構造を提供するものである。本発明に含まれるのは絶縁座体、端子群、カバーケース及び回転部である。
【００３９】
該絶縁座体１は複数の端子溝及び複数の当接面を具有するベースを含み、更にベースの片端に連設し、端子収納溝を具有する基部を含む。
【００４０】
該端子群をそれぞれ絶縁座体のベース、複数の当接面及び基部に組み立てる。ベースに挿設する各端子溝内の五本の端子、各当接面にまで延伸する四本の信号端子及び基部の端子収納溝内に挿設する五本の伝送端子を含む。且つ五本の端子は中央に位置する第一アース端子、第一アース端子の両外側にある第一差動信号端子、第二差動信号端子、第三差動信号端子及び第四差動信号端子を含む。該五本の端子の片端にそれぞれベースの各端子溝内に定位付けする当接部を設け、別端はベースの外部にまで延伸する溶接部を設ける。
四本の信号端子及び複数の端子は相隣して排列し、且つベースに定位付けし、四本の信号端子は中央の両隣に位置する第五差動信号端子、第六差動信号端子及び、二つの相対する外側に位置する第一電源端子、第二アース端子を含む。四本の信号端子の片端に、それぞれ当接面から露出する拘持面を設ける。
別端はそれぞれ基部からベースを通してから外部にまで延伸する溶接側を設け、該五本の伝送端子は四本の信号端子の拘持面から外側に向けて延伸する。それぞれ中央に位置する第七差動信号端子、第八差動信号端子及び、二つの相対する外側に位置する第二電源端子、第三アース端子を設ける。更に第七差動信号端子に相隣する第三アース端子のサイドに補助伝送端子を連設し、且つ五本の伝送端子の片端にそれぞれ基部の端子収納溝の中に定位付けする当接側を設ける。
【００４１】
該カバーケースは絶縁座体の外部を覆い、内部にベース且つ五本の端子、四本の信号端子で形成するＵＳＢ３.０規格に合う収納スペース及び、相隣する収納スペースを設けて基部を収納する。更に五本の伝送端子を合わせてMicro ＵＳＢ規格に合う収納スペースを形成し、且つ収納スペース及び収納スペースが相隣する位置に、中空状の絶縁座体の当接面を露出させる組立部を設ける。及び、
【００４２】
該回転部を可動的にカバーケースの組立部に組み立てる。それに含まれるのは、カバーケースの組立部に可動的に組立てるカバー蓋、絶縁体、及び複数の転送端子である。且つカバー蓋内部に絶縁本体及び四本の転送端子を収納する当接スペースを設ける。また、絶縁本体に四本の転送端子を定位付けするタングプレートを設ける。
タングプレートと相隣する絶縁本体の片側に更に中空状の中空スペースを設け、複数の転送端子の片端にタングプレートに定位付けする固定側を設ける。更にそれぞれ複数の転送端子の固定側から外向けに延伸し、中空スペースから露出する転接面があり、相隣する各転接面の外側に、端子群の複数の信号端子と電気抵触する各拘持面の拘持側を設ける。四本の転送端子は中央に位置する第九差動信号端子、第十差動信号端子及び、第九、第十差動信号端子の両外側に位置する第三電源端子と第四アース端子を含む。
【００４３】
その中、前記該端子群における五本の伝送端子の中の第七差動信号端子、第八差動信号端子、第二電源端子及び第三アース端子は、各当接側からそれぞれ別端に向けて、上向きに垂直に彎曲する第一彎曲部と延伸アーム、更に各延伸アームからそれぞれ水準方向に向けて彎曲し、四本の信号端子における各拘持面の第二彎曲部を連設する。
【００４４】
その中、該端子群における五本の伝送端子の中で、それぞれ両外側に位置する第二電源端子、第三アース端子はそれぞれリング状を呈し、且つ切断して二つの接触面の当接側を形成する。
【００４５】
その中、該端子群における五本の端子の中の第一アース端子、第一差動信号端子、第二差動信号端子、第三差動信号端子及び第四差動信号端子の片側にそれぞれ反対方向に彎曲して延伸する当接部を設ける。
【００４６】
その中、該端子群における五本の伝送端子の中の第三アース端子が、第七差動信号端子と相隣するサイドに、ユニバーサル・シリアル・バスインターフェイス形式の補助伝送端子を連設して形成する。
【００４７】
本発明は電気コネクタの回転装置の構造を提供するものである。本発明に含まれるのは絶縁座体、端子群、カバーケース及び回転部である。
【００４８】
該絶縁座体は複数の端子溝及び複数の当接面を具有するベースを含み、更にベースの片端に連設し、端子収納溝を具有する基部を含む。
【００４９】
該端子群をそれぞれ絶縁座体のベース、複数の当接面及び基部に組み立てる。ベースの各端子溝内に挿設する複数の端子、各当接面にまで延伸する複数の信号端子及び基部の端子収納溝内に挿設する複数の伝送端子を含む。且つ複数の端子の片端はそれぞれベースの各端子溝内に定位付けする当接部を設け、別端はベースの外部にまで延伸する溶接部を設ける。
複数の信号端子及び複数の端子は相隣して排列し、且つベースに定位付けし、且つ複数の信号端子の片端に、それぞれ当接面から露出する拘持面を設ける。別端はそれぞれ基部からベースを通してから外部にまで延伸する溶接側を設ける。複数の伝送端子は複数の信号端子の拘持面から外側に向けて延伸し、且つ片端にそれぞれ基部の端子収納溝の中に定位付けする当接側を設ける。複数の伝送端子はユニバーサル・シリアル・バス規格に合うために、第三アース端子の片側に、ユニバーサル・シリアル・バスインターフェイス形式の補助伝送端子を連設して形成する。
【００５０】
該カバーケースは絶縁座体の外部を覆い、内部にベースを収納する収納スペース及び、相隣する収納スペースは、基部を収納する収納スペースを設け、且つ収納スペース及び収納スペースが相隣する位置に中空状の絶縁座体の当接面を露出させる組立部を設ける。及び、
【００５１】
該回転部を可動的にカバーケースの組立部に組み立てる。それに含まれるのはカバーケースの組立部に可動的に組立てるカバー蓋、絶縁体、及び複数の転送端子である。且つカバー蓋内部に絶縁本体及び複数の転送端子を収納する当接スペースを設ける。また、絶縁本体に複数の転送端子を定位付けするタングプレートを設ける。
タングプレートと相隣する絶縁本体の片側に更に中空状の中空スペースを設ける。複数の転送端子の片端にタングプレートに定位付けする固定側を設ける。更にそれぞれ複数の転送端子の固定側から外向けに延伸し、中空スペースから露出する転接面がある。相隣する各転接面の外側に、端子群の複数の信号端子と電気抵触する各拘持面の拘持側を設ける。
【００５２】
本発明は電気コネクタの回転装置の構造を提供するものである。本発明に含まれるのは絶縁座体、端子群、カバーケース及び回転部である。
【００５３】
該絶縁座体１は複数の端子溝及び複数の当接面を具有するベースを含み、更にベースの片端に連設し、端子収納溝を具有する基部を含む。
【００５４】
該端子群をそれぞれ絶縁座体のベース、複数の当接面及び基部に組み立てる。ベースの各端子溝内に挿設する複数の端子、各当接面にまで延伸する複数の信号端子及び基部の端子収納溝内に挿設する複数の伝送端子を含む。且つ複数の端子の片端はそれぞれベースの各端子溝内に定位付けする当接部を設け、別端はベースの外部にまで延伸する溶接部を設ける。
複数の信号端子は相隣して複数の端子の間に挿入してそれぞれベースに定位付けし、且つ複数の信号端子の片端に、それぞれ当接面から露出する拘持面を設け、別端はそれぞれ基部からベースを通してから外部にまで延伸する溶接側を設け、平面で相隣して排列する溶接側を呈す。複数の伝送端子は複数の信号端子の拘持面から外側に向けて延伸し、且つ片端にそれぞれ基部の端子収納溝の中に定位付けする当接側を設ける。
【００５５】
該カバーケースは絶縁座体の外部を覆い、内部にベースを収納する収納スペース及び、相隣する収納スペースは、基部を収納する収納スペースを設け、且つ収納スペース及び収納スペースが相隣する位置に中空状の絶縁座体の当接面を露出させる組立部を設ける。及び、
【００５６】
該回転部を可動的にカバーケースの組立部に組み立てる。それに含まれるのは、カバーケースの組立部に可動的に組立てるカバー蓋、絶縁体、及び複数の転送端子である。且つカバー蓋内部に絶縁本体及び複数の転送端子を収納する当接スペースを設ける。また、絶縁本体に複数の転送端子を定位付けするタングプレートを設ける。
タングプレートと相隣する絶縁本体の片側に更に中空状の中空スペースを設け、複数の転送端子の片端にタングプレートに定位付けする固定側を設ける。更にそれぞれ複数の転送端子の固定側から外向けに延伸し、中空スペースから露出する転接面があり、相隣する各転接面４の外側に、端子群の複数の信号端子と電気抵触する各拘持面の拘持側を設ける。
【００５７】
本発明は電気コネクタの回転装置の構造を提供するものである。本発明に含まれるのは絶縁座体、端子群、カバーケース及び回転部である。
【００５８】
該絶縁座体に含まれるのは複数の当接面を具有するベース及び、ベースの片端に連設し、端子収納溝を具有する基部である。
【００５９】
該端子群をそれぞれ絶縁座体のベース、複数の当接面及び基部に組み立てる。各当接面にまで延伸する複数の信号端子及び基部の端子収納溝内に挿設する複数の伝送端子を含む。複数の信号端子の片端は、それぞれ当接面から露出する拘持面を設け、別端はそれぞれ基部からベースを通してから外部にまで延伸する溶接側を設ける。
複数の伝送端子は複数の信号端子の拘持面から外側に向けて延伸し、且つ片端にそれぞれ基部の端子収納溝の中に定位付けする当接側を設ける。
【００６０】
該カバーケースは絶縁座体の外部を覆い、内部にベースを収納する収納スペース及び、相隣する収納スペースに基部を収納する収納スペースを設ける。且つ収納スペース及び収納スペースが相隣する位置に中空状の絶縁座体の当接面を露出させる組立部を設ける。及び、
【００６１】
該回転部を可動的にカバーケースの組立部に組み立てる。それに含まれるのは、カバーケースの組立部に可動的に組立てるカバー蓋、絶縁体、及び複数の転送端子である。且つカバー蓋内部に絶縁本体及び複数の転送端子を収納する当接スペースを設け、また、絶縁本体に複数の転送端子を定位付けするタングプレートを設ける。
タングプレートと相隣する絶縁本体の片側に更に中空状の中空スペースを設け、複数の転送端子の片端にタングプレートに定位付けする固定側を設ける。更にそれぞれ複数の転送端子の固定側から外向けに延伸し、中空スペースから露出する転接面があり、相隣する各転接面の外側に、端子群の複数の信号端子と電気抵触する各拘持面の拘持側を設ける。
【００６２】
本発明は電気コネクタの回転装置の構造を提供するものである。本発明に含まれるのは絶縁座体、端子群、カバーケース及び回転部である。
【００６３】
該絶縁座体は複数の当接面のベース及び、ベースの片側に連設し、端子収納溝を具有する基部を含む。
【００６４】
該端子群をそれぞれ絶縁座体のベース、複数の当接面及び基部に組み立てる。各当接面にまで延伸する四本の信号端子及び基部の端子収納溝内に挿設する五本の伝送端子を含む。四本の信号端子の片端に、それぞれ当接面から露出する拘持面を設ける。別端はそれぞれ基部からベースを通してから外部にまで延伸する溶接側を設ける。
且つ四本の信号端子に含まれるのは中央で相隣して排列する第七差動信号端子、第八差動信号端子及び、第七、第八信号端子の両外側に位置する第一電源端子、第二アース端子である。五本の伝送端子は四本の信号端子の拘持面から外側に向けて延伸し、五本の伝送端子はそれぞれ中央に位置する第七差動信号端子、第八差動信号端子及び、第七、第八差動信号端子の両外側に位置する第二電源端子、第三アース端子を設ける。更に第三アース端子と相隣する第七差動端子のサイドに補助伝送端子を連設し、且つ五本の伝送端子の片端に、それぞれ基部の端子収納溝内に設ける当接側を設ける。
【００６５】
該カバーケースは絶縁座体の外部を覆い、内部にベースを収納し、且つ四本の信号端子と合わせてＵＳＢ２.０規格に合う収納スペースを形成する。及び、相隣する収納スペースは基部を収納し、更に五本の伝送端子と合わせてＭｉｃｒｏ  ＵＳＢ規格に合う収納スペースを形成し、且つ収納スペース及び収納スペースが相隣する位置に中空状の絶縁座体の当接面を露出させる組立部を設ける。及び、
【００６６】
該回転部を可動的にカバーケースの組立部に組み立てる。それに含まれるのは、カバーケースの組立部に可動的に組立てるカバー蓋、絶縁体、及び複数の転送端子である。且つカバー蓋内部に絶縁本体及び複数の転送端子を収納する当接スペースを設ける。
また、絶縁本体に複数の転送端子を定位付けするタングプレートを設ける。タングプレートと相隣する絶縁本体の片側に更に中空状の中空スペースを設け、複数の転送端子の片端にタングプレートに定位付けする固定側を設ける。更にそれぞれ複数の転送端子の固定側から外向けに延伸し、中空スペースから露出する転接面があり、相隣する各転接面の外側に、端子群の複数の信号端子と電気抵触する各拘持面の拘持側を設ける。
【００６７】
その中、該端子群における五本の伝送端子の中の、両外側に位置する第二電源端子、第三アース端子はそれぞれリング状を呈し、且つ切断して二つの接触面の当接側を形成する。
【００６８】
その中、該端子群における五本の伝送端子の中の第三アース端子が、第七差動信号端子と相隣するサイドに、ユニバーサル・シリアル・バスインターフェイス形式の補助伝送端子を連設して形成する。
【００６９】
従来技術と比べ、本発明が具有する有益効果は下記の通りである。
【００７０】
該電気コネクタの絶縁座体は端子群における複数の端子の各当接部をベースの各端子溝に挿設し、複数の信号端子の各拘持面をベースの各当接面に延伸する。複数の伝送端子の各当接側を基部の端子収納溝に挿設し、且つ複数の端子の溶接部、信号端子の溶接側をそれぞれベースの外に延伸する。絶縁座体の外側をカバーケースが覆い、且つカバーケースは、収納スペース及び収納スペースの間に組立部を設けることで、回転部のカバー蓋を可動的に組立てることができる。
且つカバー蓋の中に、絶縁本体及び複数の転送端子を設け、複数の転送端子の拘持側は複数の信号端子の各当接側と電気接触することができ、それにより回転部はカバーケースの上で可動的に蓋を開けられる目的に達する。また、電気コネクタが電気ドッキングする際に、瞬間的に暴走する現象が発生するのを避けることができる。
【００７１】
該電気コネクタの絶縁座体は、ベースの各端子溝内に、端子群の五本の端子を挿設して定位付けする。五本の端子は中央に位置する第一アース端子、中央に位置する第一アース端子、第一アース端子の両外側に位置する第一差動信号端子、第二差動信号端子及び、第三差動信号端子、第四差動信号端子を含む。且つ絶縁座体のベースにある複数の当接面に、端子群の四本の信号端子を挿設して定位付けし、四本の信号端子の各拘持面をそれぞれ各当接面から露出する。
四本の信号端子に含まれるのは中央に位置する二つの相隣する第五差動信号端子と第六差動信号端子及び、第五差動信号端子と第六差動信号端子の両外側に位置する第一電源端子と第二アース端子である。絶縁座体のベースと片側が相隣する基部に端子群の五本伝送端子を挿設する。五本の伝送端子はそれぞれ四本の信号端子の各拘持面から垂直方向に彎曲してから水準方向に延伸する。五本の伝送端子に含まれるのは、中央に位置する第七差動信号端子と第八差動信号端子及び、第七差動信号端子、第八差動信号端子の両外側に位置する第二電源端子、第三アース端子である。
且つ第七差動信号端子と相隣する第三アース端子のサイドに補助伝送端子を設け、更に両外側にある第二電源端子、第三アース端子にリング状且つ切断して二つの接触面を形成する当接側を設ける。また、絶縁座体の外部をカバーケースで覆い、ベース及び五本の端子、四本の信号端子に合わせて、ユニバーサル・シリアル・バス(ＵＳＢ３.０或いは２.０)の規格に合う電気コネクタを形成する。また、基部に合わせた五本の伝送端子は、マイクロユニバーサル・シリアル・バス(Ｍｉｃｒｏ  ＵＳＢ)の規格に合う電気コネクタを形成する。
【００７２】
該回転部は絶縁本体内に複数の転送端子を固設し、それは四本の転送端子とすることができる。四本の転送端子に含まれるのは、中央に位置する二つの相隣する第九差動信号端子と第十差動信号端子及び、二つの相対する外側に位置する第三電源端子と第四アース端子である。且つ四本の転送端子のそれぞれ片端にある固定側を絶縁本体のタングプレート内に挿設して定位付けし、且つ各固定側はそれぞれ外向けに転接面を延伸し、絶縁本体の中空スペースから露出する。
更に各転接面の外側にそれぞれ垂直方向に彎曲する拘持側を設け、四本の転送端子の各拘持側を使って、端子群における四本の信号端子の各拘持面と電気接触することで、四本の転送端子が絶縁本体及びカバー蓋に合わせて、ユニバーサル・シリアル・バス(ＵＳＢ２.０)の規格に合う電気コネクタを形成する。且つ絶縁本体とカバーケースのケース台を使って隔離する作用を形成し、電気コネクタの回転部で絶縁座体及びカバーケースの上を覆う。且つ相対する型のプリセットの電気コネクタと相対してドッキングする際、相対する型のプリセット電気コネクタの電源アースは、カバーケースのケース台に接触しないため、瞬間の高電流或いは高電圧の暴走現象が発生しない目的に達する。
【００７３】
該端子群にある複数の伝送端子は、五本の伝送端子であり、該五本の伝送端子に含まれるのは、中央に位置する二本の第七差動信号端子と第八差動信号端子、二つの相対する外側にある第二電源端子及び第三アース端子である。第二電源端子及び第三アース端子の各当接側には、それぞれリング状の彎曲を呈し、弾性的に隆起する。片側は切断して二つの接触面を形成し、相隣する第七差動信号端子の第三アース端子のサイドに、更に補助伝送端子を連設することで、電気コネクタにユニバーサル・シリアル・バスインターフェイス(ＵＳＢ/ＯＴＧ)タイプの規格を形成することができ、更にコンピューター、ノートパソコン、マスメディアプレイヤー或いはスマートフォンなど、周辺の電子製品のフラッシュドライブ、マスメディア保存装置或いはマウス、キーボードなどを電気接続して拡充することができる。
【発明の効果】
【００７４】
本発明の構造により、ＵＳＢ電気コネクタと相対する型プリセット電気コネクタと相対してドッキングを組成することができ、暴走現象が起こらないことを主な保護ポイントとする。ＵＳＢ電気コネクタが安定して電子信号及び電源信号を伝送することができ、電気コネクタが回転部４の隔離を利用し、且つ多種の応用モードの優勢を具有する。
【図面の簡単な説明】
【００７５】
【図１】本発明の立体外観図である。
【図２】本発明の立体分解図である。
【図３】本発明の別の方向から見た立体分解図である。
【図４】本発明の端子群及び転送端子の立体外観図である。
【図５】本発明の正面図である。
【図６】本発明の俯瞰図である。
【図７】本発明の側面図である。
【図８】本発明の最良実施例の側面断面図である。
【図９】本発明の第２実施例の立体分解図である。
【図１０】本発明の第２実施例の側面断面図である。
【図１１】従来の電気コネクタの立体分解図である。
【発明を実施するための形態】
【実施例１】
【００７６】
上述の目的と効果を達成するため、以下に本発明が採用する技術手段、及び構造、実施の方法を、最良実施例と図面を参照しながら詳細に説明する。
【００７７】
図１、図２、図３及び図４に示すのは、本発明の立体外観図、立体分解図、別の方向から見た立体分解図、端子群及び転送端子の立体外観図である。図で分かるように、本発明のＵＳＢ電気コネクタの回転装置に含まれるのは、絶縁座体１、端子群２、カバーケース３及び回転部４である。
【００７８】
該絶縁座体１はベース１１内部に複数の端子溝１１０、複数の分離リブ１１１を設け、且つ各分離リブ１１１に相隣する片側にそれぞれ延伸して当接面１１２を設置する。更に相隣する複数の当接面１１２におけるベース１１の片側に、外向きに基部１２を延伸して設け、更に基部１２内に複数の端子収納溝１２０を設ける。
【００７９】
該端子群２に含まれるのは複数の端子２１、複数の信号端子２２及び複数の伝送端子２３である。且つ複数の端子２１の片端にそれぞれ当接部２１１を具有し、別端はそれぞれ溶接部２１２を設ける。複数の信号端子２２の片端はそれぞれ拘持面２２１を具有し、別端はそれぞれ溶接側２２２を設ける。
また、複数の信号端子２２の各拘持面２２１からそれぞれ垂直方向に第一彎曲部２２３を連設し、各第一彎曲部２２３は更にそれぞれ延伸アーム２２４を延伸し、複数の延伸アーム２２４はそれぞれ水準方向に向けて集中して第二彎曲部２２５を連設する。更に各第二彎曲部２２５はそれぞれ水準方向に向けて複数の伝送端子２３を連設し、複数の伝送端子２３の片端はそれぞれ当接側２３１を設ける。
【００８０】
該カバーケース３は本体３１、ケース台３２を含み、本体３１の内部に中空の収納スペース３１０を具有する。且つ本体と相隣する片側にケース台３２を連設し、該ケース台３２の内部に中空の収納スペース３２０を設ける。ケース台３２の収納スペース３２０は本体３１の収納スペース３１０にまで貫通し、更に収納スペース３１０と収納スペース３２０が相隣する位置の本体３１の片側に組立部３３を設ける。
【００８１】
該回転部４は絶縁本体４１、複数の転送端子４２及びカバー蓋４３を含み、且つ絶縁本体４１はタングプレート４１１を具有する。該タングプレート４１１の片側に凹形状の凹部４１２を形成し、タングプレート４１１に相隣する片側に中空状の中空スペース４１０を設け、タングプレート４１１により複数の転送端子４２を挿設して定位付けする。複数の転送端子４２の片端に固定側４２１を設け、それぞれタングプレート４１１の内部に挿設して定位付けすることができる。
且つ各転送端子４２の中央にそれぞれ転接面４２２を設け、更に各転接面４２２の片端から彎曲する拘持側４２３を設ける。それにより各転接面４２２と各拘持側４２３をそれぞれ絶縁本体４１の中空スペース４１０にまで延伸することができる。該絶縁本体４１及び複数の転送端子４２の外部はカバー蓋４３で覆い、カバー蓋４３内部にある当接スペース４３０を利用し、絶縁本体４１及び複数の転送端子４２を収納する。
【００８２】
前記各部品を組立てる際、絶縁座体１のベース１１、複数の当接面１１２及び基部１２に、端子群２の複数の端子２１、複数の信号端子２２及び複数の伝送端子２３をそれぞれ挿設する。且つ複数端子２１の各当接部２１１をそれぞれベース１１の複数端子溝１１０内に延伸する。複数の信号端子２２はそれぞれベース１１の各分離リブ１１１に挿設し、片端の各拘持面２２１はそれぞれ複数の当接面１１２から露出する。
更に複数の信号端子２２の拘持面２２１から外向きに複数の伝送端子２３を延伸し、片端にある各当接側２３１を使って、それぞれ基部１２の各端子収納溝１２０にまで延伸する。端子群２における複数の端子２１の片端にある各溶接部２１２及び、複数の信号端子２２の片端にある各溶接側２２２は、それぞれベース１１を通って絶縁座体１の外側に延伸し、且つ複数の溶接部２１２と複数の溶接側２２２がそれぞれ絶縁座体１の外側に位置させ、平面で相隣して交互に排列する状態を呈す。
更に絶縁座体１及び端子群２の外部を覆うカバーケース３は、カバーケース３における本体３１の収納スペース３１０の中に、絶縁座体１のベース１１、複数の当接面１１２を収納する。且つ複数の当接面１１２の表面に露出する複数の信号端子２２の拘持面２２１は、組立部３３の位置に合わせて露出する。また、ケース台３２の収納スペース３２０は基部１２を収納し、且つカバーケース３の組立部３３は可動的に回転部４を組立てることで、回転部４は組立部３３の位置で開け閉めすることができる。
また、絶縁本体４１がタングプレート４１１の部分で形成する凹部４１２は、カバーケース３のケース台３２の上方に合わせて覆い、且つタングプレート４１１の片側にある中空スペース４１０内に位置する転送端子４２は、片端にある各拘持面４２３を使って、それぞれ複数の信号端子２２の各拘持面２２１と電気接触することで、本発明のＵＳＢ電気コネクタの回転装置を構成する。
【００８３】
前記のカバーケース３の組立部３３、回転部４のカバー蓋４３の片側は、接続ユニット５を通じて可動的に組立てることができる。該接続ユニット５は本体３１の両サイドにある組立部３３の壁面にそれぞれ軸穴５０(或いは回転軸５１)及び一個或いは一個以上の掛止穴５２(或いは掛止ボタン５３)を設ける。且つ接続ユニット５は回転部４のカバー蓋４３両サイドの壁面部分にそれぞれ外向きにアーム５４を突設し、更に二つのアーム５４にそれぞれ回転軸５１(或いは軸穴５０)を設ける。
相隣する二つのアーム５４におけるカバー蓋４３の二つの壁面にそれぞれ更に一個或いは一個以上の掛止ボタン５３(或いは掛止穴５２)を設けることで、組立部３３の両サイドにある軸穴５０を介し、回転部４のカバー蓋４３にある二つのアーム５４の回転軸５１と可動的に組み合わせて結合し、回転部４をカバーケース３の組立部３３に位置させることができる。接続ユニット５を可動的に開ける、蓋合できることにより、回転部４を組立部３３に蓋合する際、カバー蓋４３の両サイドにある掛止ボタン５３を利用し、それぞれ組立部３の両サイドにある掛止穴５２に位置を合わせて嵌めることができ、それによって回転部４を安定して組立部３３に定位付けすることができる。且つ回転部４の絶縁本体４１は、タングプレート４１の片側にある凹部４１２を使ってケース台３２の上に覆うと、本発明のＵＳＢ電気コネクタの回転装置を構成し、多種の変化の応用モードを具有する。
【００８４】
且つ前記の絶縁座体１のベース１１の片側と相隣して基部１２を連設し、該基部１２の幅は狭く、ベース１１の幅より狭くすることができる。基部１２の厚みも薄く、ベース１１の厚みより薄くすることができる。幅を狭く、厚みを薄くした基部１２をベース１１における片側の下方の中央位置に連設する。絶縁座体１のベース１１、基部１２に相対し、カバーケース３における本体３１の片側サイドの中央位置に、幅を狭く、厚みを薄くしたケース台３２を連設することで、本体３１は相対する型のベース１１の外部を覆うことができる。
且つ端子群２に合わせて予定するユニバーサル・シリアル・バス(ＵＳＢ３.０或いは２.０)規格に合う電気コネクタを組成し、且つケース台３２は相対する型の基部１２を覆うほか、マイクロ型ユニバーサル・シリアル・バス規格(Ｍｉｃｒｏ  ＵＳＢ)に合う電気コネクタを組成すると、相隣して連結するデザイン、且つ異なる規格サイズの異なるタイプの電気コネクタの応用モードを構成することができる。
【００８５】
カバーケース３の本体３１、ケース台３２は一体成形して予定する規格タイプに作ることができる。また、本体３１、ケース台３２を分けて製造した後、更に予定する加工作業(溶接、高周波溶接或いは接着糊などの方法とすることができる)を使って、予定する規格タイプに結合する。
【００８６】
更に本発明の端子群２は複数の端子２１、複数の信号端子２２及び複数の伝送端子２３を含む。複数の端子２１は五本の相隣して並列する端子２１を含み、中間に位置する第一アース端子２１０１、第一アース端子２１０１の両外側に位置する第一差動信号端子２１０２、第二差動信号端子２１０３、第三差動信号端子２１０４及び第四差動信号端子２１０５を具有する。且つ複数の信号端子２２は四本の相隣して並列する信号端子２２を含み、中央に位置する第五差動信号端子２２０１、第六差動信号端子２２０２と、それぞれ第五差動信号端子２２０１、第六差動信号端子２２０２の二つの相対する外側に位置する第一電源端子２２０３及び第二アース端子２２０４を具有する。また、複数の信号端子２２の片端にある各拘持面２２１はそれぞれ垂直方向に連続彎曲して第一彎曲部２２３を連設し、且つ各第一彎曲部２２３をそれぞれ垂直方向に扇状に延長展開し、別端に集中して延伸アーム２２４を連設する。
且つ各延伸アーム２２４は更にそれぞれ水準方向に向けて彎曲して延伸し、五本の伝送端子２３を連設する。該五本の伝送端子２３は、中央に位置して二つの相隣する第七差動信号端子２３０１と第八差動信号端子２３０２及び、両外側に位置する第二電源端子２３０３と第三アース端子２３０４を含む。また、第二電源端子２３０３は幅を増やすデザインとすることができ、比較的大きい電流を負荷することができる。
第二電源端子２３０３及び第三アース端子２３０４の各当接側２３１には、それぞれ中空リング状の彎曲を呈し、弾性的に隆起する。片側は切断して二つの接触面２３１１を形成し、第二電源端子２３０３、第三アース端子２３０４の当接側２３１の接触面積を増やすことができる。相隣する第七差動信号端子２３０１のサイドにある第三アース端子２３０４の内側に、補助伝送端子２３０５を連設する。それにより五本の伝送端子２３はユニバーサル・シリアル・バスインターフェイス(ＵＳＢ/ＯＴＧ)タイプに合う規格を形成し、五本の伝送端子２３を使って、カバーケース３のケース台３２と合わせて、マイクロ型ユニバーサル・シリアル・バス(Ｍｉｃｒｏ  ＵＳＢ)に合う規格を組成することができる。
同時にＵＳＢ電気コネクタの電磁干渉(ＥＭＩ)を上げる作用にもなり、電流の供給が不安定、或いは電撃の瞬間の高電流、高電圧などの干渉の影響を避けることができる。
【００８７】
端子群２の各端子２１、複数の信号端子２２の間に、第二差動信号端子２１０３及び第五差動信号端子２２０１の相対する内側に、第一隔離端子２４を設ける。また、第三差動信号端子２１０４及び第六差動信号端子２２０２の相対する内側に、第二隔離端子２５を設ける。第一隔離端子２４の片端に第一隔離側２４１を設け、第五差動信号端子２２０１と第二アース端子２２０４の間にまで延伸する。
且つ第一隔離端子２４の別端は連続した彎曲状を呈してから、更に水準方向に隔離溶接側２４２を延伸する。第二隔離端子２５の片端に第二隔離側２５１を設け、第六差動信号端子２２０２、第一電源端子２２０３の間にまで延伸する。且つ第二隔離端子２５の別端は連続した彎曲状を呈してから、更に水準方向に隔離溶接側２５２を延伸する。第一隔離端子２４、第二隔離端子２５を使って、それぞれ第五差動信号端子２２０１、第六差動信号端子２２０２と、両外側にある第一電源端子２２０３、第二アース端子２２０４を隔離する。
第五差動信号端子２２０１、第六差動信号端子２２０２が電子信号を伝送する際、両サイドの電源信号或いはアースのノイズ、電磁波などによって干渉されず、第五差動信号端子２２０１、第六差動信号端子２２０２が安定して電子信号を伝送することができる。
【００８８】
回転部４は絶縁本体４１に複数の転送端子４２を定位する。四本の転送端子４２とすることができ、該四本の転送端子４２は中央に位置し、二つの相隣する第九差動信号端子４２０１、第十差動信号端子４２０２及び両外側に位置する第三電源端子４２０３と第四アース端子４２０４を含む。また四本の転送端子４２がカバー蓋４３の当接スペース４３０に合わせることで、ユニバーサル・シリアル・バス(ＵＳＢ２.０)の規格に合う電気コネクタを形成することができる。四本の転送端子４２の片端にある拘持側４２３を使って、それぞれ四本の信号端子２２の各拘持面２２１を電気抵触することで、安定した信号伝送を形成し、ユニバーサル・シリアル・バス(ＵＳＢ２.０)電気コネクタの延伸応用とすることができる。
【００８９】
図２、図４、図５、図６、図７及び図８に示すのは、本発明の立体分解図、端子群及び転送端子の立体外観図、正面図、俯瞰図、及び側面図、最良実施例の側面断面図である。図で分かるように、本発明のＵＳＢ電気コネクタの絶縁座体１、端子群２の外部をカバーケース３で覆い、絶縁座体１のベース１１は端子群２の複数の端子２１、複数の信号端子２２及びカバーケース３の本体３１と合わせて、ユニバーサル・シリアル・バス(ＵＳＢ３.０或いは２.０)の規格に合う電気コネクタを構成する。
更に絶縁座体１の基部１２及び端子群２の複数の伝送端子２３をカバーケース３のケース台３２と合わせて、マイクロ型ユニバーサル・シリアル・バス(Ｍｉｃｒｏ  ＵＳＢ)規格に合う電気コネクタを構成する。且つカバーケース３の組立部３３の位置を利用して、可動的に回転部４を組立てる。回転部４を組立部３３に蓋合する際、絶縁本体４１及びカバー蓋４３を使ってカバーケース３のケース台３２の上方を覆い、更に絶縁本体４１に複数の転送端子４２を組立てる。片端が彎曲する拘持側４２３を使い、それぞれ端子群２における複数の信号端子２２の各拘持面２２１と位置を合わせて電気抵触する。複数の転送端子４２の転接面４２２及びタングプレート４１１とカバー蓋４３を合わせて、ユニバーサル・シリアル・バス(ＵＳＢ２.０)規格に合う電気コネクタを構成する。
且つ回転部４を組立部３３の上方に蓋合し、相対する型のプリセットの電気コネクタ６と互いに電気ドッキングする際、プリセットした電気コネクタ６の電源端子６１は、ケース台３２に触れることがなく、瞬間的に高電流或いは高電圧の暴走現象が発生せず、ＵＳＢ２.０の規格を利用して、電気コネクタが安定して信号を転送する目的に達する。複数の転送端子４２の各転接面４２２を介し、それぞれ端子群２の複数の信号端子２２と電気接続し、電子信号及び電源信号の伝送を行う。
【００９０】
回転部４を組立部３３から外側に開けると、回転部４は絶縁座体１及びカバーケース３の外側に垂直に回転する。絶縁座体１のベース１１を使って、カバーケース３の本体と合わせてユニバーサル・シリアル・バス(ＵＳＢ３.０或いは２.０)規格を形成する。相対する型のプリセット電気コネクタ６と相対して電気ドッキングすることができる。
更に絶縁座体１の基部１２を使って、カバーケース３のケース台３２と合わせてマイクロ型ユニバーサル・シリアル・バス(Micro  ＵＳＢ)規格の電気コネクタを形成し、且つ相対する型のプリセット電気コネクタ６と相対して電気ドッキングすることができる。本発明のＵＳＢ電気コネクタは多種の異なる規格対応を具有して応用できる。且つ回転部４の可動式蓋のデザインを利用し、ユニバーサル・シリアル・バス(ＵＳＢ２.０)規格の電気コネクタに応用する際、下方に位置するマイクロ型ユニバーサル・シリアル・バス(Micro  ＵＳＢ)のケース台３２の影響を受けず、相対する型のプリセットユニバーサル・シリアル・バス(ＵＳＢ２.０)規格の電気コネクタ６のプリセット電源端子６１がケース台３２に接触するのを避け、暴走現象が発生せず、ユニバーサル・シリアル・バス(ＵＳＢ２.０)規格の電気コネクタが信号伝送を行う効果を影響しない。
【実施例２】
【００９１】
図９及び図１０に示すのは、本発明の第２実施例の立体分解図、第２実施例の側面断面図である。図で分かるように、本発明の絶縁座体１のベース１１に端子群２の複数の信号端子２２を挿設する。複数の信号端子２２はそれぞれベース１１の各分離リブ１１１の中に挿設し、且つ複数の信号端子２２の片端にある拘持面２２１はそれぞれ各当接面１１２の表面にまで延伸して露出する。
且つ複数の信号端子２２の別端にある複数の溶接側２２２は、それぞれベース１１の別端外部にまで延伸する。複数の信号端子２２の片端にある各拘持面２２１はそれぞれ垂直方向に連続彎曲してから、更にそれぞれ水準横方向に向けて複数の伝送端子２３を延伸して設ける。複数の伝送端子２３の片端にある各当接側２３１はそれぞれ基部１２の端子収納溝１２０の中に挿設する。且つ複数の伝送端子２３に含まれるのは、中央に位置して相隣する第七差動信号端子２３０１、第八差動信号端子２３０２と、第七差動信号端子２３０１、第八差動信号端子２３０２の両外側に位置する第二電源端子２３０３、第三アース端子２３０４である。
第二電源端子２３０３、第三アース端子２３０４はそれぞれリング状を呈し、且つ切断して二つの接触面２３１１の当接側２３１を形成する。第七差動信号端子２３０１に相隣する第三アース端子２３０４の片側に、更に補助伝送端子２３０５を連設し、ユニバーサル・シリアル・バスインターフェイス(ＵＳＢ/ＯＴＧ)タイプを形成することができる。
絶縁座体１及び端子群２の外部をカバーケース３で覆い、カバーケース３の本体３１内部の収納スペース３１０を使って、絶縁座体１のベース１１、複数の当接面１１２を収納する。本体３１の収納スペース３１０と当接面１１２に位置する複数の拘持面２２１を介し、且つ本体３１の片端に位置する組立部３３を利用して可動的に回転部４を組立てると、回転部４にある複数の転送端子４２は、各拘持側４２３でそれぞれ位置を合わせて各拘持面２２１と電気接触し、複数の転送端子４２を通過し、絶縁本体４１に合わせてユニバーサル・シリアル・バス規格(ＵＳＢ２.０)に合う電気コネクタを形成し、同時に複数の信号端子２２と電気連設し、延伸して応用できる効果を形成する。
更に本体３１の片端に連設するケース台３２は、基部１２の外側を覆い、且つケース台３２と基部１２の各端子収納溝１２０内にある複数の伝送端子２３の当接側２３１を通過し、マイクロ型ユニバーサル・シリアル・バス規格(Micro  ＵＳＢ)に合う電気コネクタを構成する。
回転部４をカバーケース３のケース台３２の上方を覆うことにより、相対する型のプリセット電気コネクタ６と相対して電気ドッキングする時、プリセット電気コネクタ６の電源端子６１がカバーケース３のケース台３２に接触する際、瞬間の高電圧或いは高電流の暴走現象を避けることができ、ユニバーサル・シリアル・バス(ＵＳＢ２.０)規格の電気コネクタが安定して電子信号、電源信号を伝送するのを確保する。また、多種の異なるタイプの電気コネクタを具有し、選択して応用することで、電気コネクタの実用性を高めることができる。
【００９２】
上記は本発明の最良実施例であるのみであり、本発明の特許範囲を制限するものではない。本発明のＵＳＢ電気コネクタの回転装置は、絶縁座体１のベース１１、複数の当接面１１２と基部１２に、端子群２の複数の端子２１、複数の信号端子２２、複数の伝送端子２３をそれぞれ挿設し、更にベース１１及び複数の端子２１の当接部２１１、複数の当接面１１２及び複数の信号端子２２にカバーケース３の本体３１を合わせれば、ユニバーサル・シリアル・バス規格に合う(ＵＳＢ３.０或いは２.０)の電気コネクタを組成することができる。
また、基部１２及び複数の伝送端子２３の当接側２３１にカバーケース３のケース台３２を合わせて、マイクロ型ユニバーサル・シリアル・バス規格(Micro ＵＳＢ)に合う電気コネクタを組成する。更にカバーケース３の組立部３３に可動的に回転部４を組立てれば、回転部４の絶縁本体４１に挿設する複数の転送端子４２を利用し、片端にある各拘持側４２３を使って、それぞれ位置を合わせて複数の信号端子２２の各拘持面２２１を抵触する。且つ絶縁体４１はカバーケース３のケース台３２の上方を覆い、回転部４と相対する型のプリセット電気コネクタ６と電気ドッキングする際、ＵＳＢ電気コネクタが瞬時に暴走現象が起きるのを避ける目的に達する。
ＵＳＢ電気コネクタが安定して電子信号及び電源信号を伝送することができ、またＵＳＢ電気コネクタが多種の異なる規格タイプを具有して応用できる便利な効果もある。応用する際には互いに干渉せず、ドッキングして電子信号の伝送をしやすいため、スペースと位置を占用する面倒を避けることができる。且つ電気コネクタの適応性が広く、使用時の条件制限を下げる約束の機能など、前述の効果構造、装置は全て本発明の範囲とし、本技術に熟知する者は、固定構造の変更などの適当な変更および調整を行うことができ、これらの変更および調整を行っても本発明の重要な意義は失われず、本発明の範囲に含まれる。
【００９３】
故に本発明は主にＵＳＢ電気コネクタの回転装置についての設計を行い、絶縁座体１を使ってベース１１、複数の当接面及１１２び基部１２を相隣して連結成型し、そこに端子群２の複数の端子２１、複数の信号端子２２及び複数の伝送端子２３をそれぞれ挿設する。
更にカバーケース３の本体でベース１１の各当接面１１２の外部を覆う。且つカバーケース３の片端にある組立部３３に可動的に回転部４を組立て、回転部４にある複数の転送端子４２が複数の信号端子２２と電気接触し、回転部４を通じてカバーケース３のケース台３２の上方を覆うことで、ＵＳＢ電気コネクタと相対する型プリセット電気コネクタと相対してドッキングを組成することができ、暴走現象が起こらないことを主な保護ポイントとする。ＵＳＢ電気コネクタが安定して電子信号及び電源信号を伝送することができ、電気コネクタが回転部４の隔離を利用し、且つ多種の応用モードの優勢を具有する。
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００９４】
１  絶縁座体
１１  ベース
１１０  端子溝
１１１  分離リブ
１１２  当接面
１２  基部
１２０  端子収納溝
２  端子群
２１  端子
２１０１  第一アース端子
２１０２  第一差動信号端子
２１０３  第二差動信号端子
２１０４  第三差動信号端子
２１０５  第四差動信号端子
２１１  当接部
２１２  溶接部
２２  信号端子
２２０１  第五差動信号端子
２２０２  第六差動信号端子
２２０３  第一電源端子
２２０４  第二アース端子；
２２１  拘持面
２２２  溶接側
２２３  第一彎曲部
２２４  延伸アーム
２２５  第二彎曲部
２３  伝送端子
２３０１  第七差動信号端子
２３０２  第八差動信号端子
２３０３  第二電源端子
２３０４  第三アース端子
２３０５  補助伝送端子
２３１  当接側
２３１１  接触面
２４  第一隔離端子
２４１  第一隔離側
２４２  隔離溶接側
２５  第二隔離端子
２５１  第二隔離側
２５２  隔離溶接側
３  カバーケース
３１  本体
３１０  収納スペース
３２  ケース台
３２０  収納スペース
３３  組立部
４  回転部
４１  絶縁本体
４１０  中空スペース
４１１  タングプレート
４１２  凹部
４２  転送端子
４２０１  第九差動信号端子
４２０２  第十差動信号端子
４２０３  第三電源端子
４２０４  第四アース端子
４２１  固定側
４２２  転接面
４２３  拘持側
４３  カバー蓋
４３０  当接スペース
５  接続ユニット
５０  軸穴
５１  回転軸
５２  掛止穴
５３  掛止ボタン
５４  アーム
６  電気コネクタ
６１  電源端子
【図１】
2016540365.tif 000003
【図２】
2016540365.tif 000004
【図３】
2016540365.tif 000005
【図４】
2016540365.tif 000006
【図５】
2016540365.tif 000007
【図６】
2016540365.tif 000008
【図７】
2016540365.tif 000009
【図８】
2016540365.tif 000010
【図９】
2016540365.tif 000011
【図１０】
2016540365.tif 000012
【図１１】
2016540365.tif 000013
【国際調査報告】
2016540365.tif 000014
2016540365.tif 000015
2016540365.tif 000016
2016540365.tif 000017
2016540365.tif 000018